(57)【要約】【課題】グリーン環境保護の電力（ＧＲＥＥＮ  ＰＯＷＥＲ）を維持するように提供すること。【解決手段】本考案は、パソコンの電源供給システムに関するが、パソコンの電源供給システムは、送電（１０）を多種な異なる電圧レベルに変換することによりパソコン（４０）の動作する直流電源（２５、３３）を提供する電源供給システムである。【選択図】図１
0003122194.tif 000002
【実用新案登録請求の範囲】
【請求項１】
送電（１０）を多種な異なる電圧レベルに変換することによりパソコン（４０）の動作する直流電源（２５、３３）を提供するパソコンの電源供給システムであって、
メイン・パワー・サプライ（２０）と、サブ・パワー・サプライ（３０）と、を含み、
前記メイン・パワー・サプライ（２０）は、パソコン（４０）の内部に配置され、電力をパソコン（４０）の動作する電源に変換するように行なう主な電力システム（２３）と、
常態的に起動電源（２４）をパソコン（４０）へ提供する、スタンドバイ電力システム（２２）と、
送電（１０）に接続する入力端（２１）と、
直流電源（２５）を出力する出力端と、を具備し、
前記サブ・パワー・サプライ（３０）は、パソコン（４０）の一側フェース・プレートのハウジング設置位置に配置され、送電（１０）に接続する入力端（３１）と、
直流電源（３３）を出力する出力端と、
電力をパソコン（４０）の動作する電源に変換するように行なう副次な電力システム（３２）と、を具備し、
当該副次な電力システム（３２）の起動電力がメイン・パワー・サプライ（２０）の出力端から少なくとも一つの直流電源（２５）を出力することにより駆動されることを特徴とする、
パソコンの電源供給システム。
【請求項２】
当該メイン・パワー・サプライ（２０）が、単一の電圧レベルを出力する直流電源（２５）で、且つ当該サブ・パワー・サプライ（３０）が複数組の異なる電圧レベルを出力する直流電源（３３）であることを特徴とする、請求項１記載のパソコンの電源供給システム。
【請求項３】
当該メイン・パワー・サプライ（２０）は、単一の電圧レベルを出力する直流電源（２５）で、また複数個のサブ・パワー・サプライ（３０）を具備して構成し且つそれぞれ異なる電圧レベルを出力する直流電源（３３）であることを特徴とする、請求項１記載のパソコンの電源供給システム。
【請求項４】
当該メイン・パワー・サプライ（２０）は、複数組の電圧レベルを出力する直流電源（２５）で、且つ当該サブ・パワー・サプライ（３０）が複数組の異なる電圧レベルを出力する直流電源（３３）であることを特徴とする、請求項１記載のパソコンの電源供給システム。
【請求項５】
当該メイン・パワー・サプライ（２０）は、複数組の電圧レベルを出力する直流電源（２５）で、且つ当該サブ・パワー・サプライ（３０）が単一の電圧レベルを出力する直流電源（３３）であることを特徴とする、請求項１記載のパソコンの電源供給システム。
【請求項６】
当該電源供給システムは、第２組のサブ・パワー・サプライ（５０）をさらに具備し、当該第２組のサブ・パワー・サプライ（５０）の起動電力が同様にメイン・パワー・サプライ（２０）の出力端から少なくとも一つの直流電源（２５）を出力することにより駆動されることを特徴とする、請求項１記載のパソコンの電源供給システム。
【請求項７】
当該電源供給システムは、第２組のサブ・パワー・サプライ（５０）をさらに具備し、当該第２組のサブ・パワー・サプライ（５０）の起動電力が第１組のサブ・パワー・サプライ（３０）の出力端から少なくとも一つの直流電源（３３）を出力することにより駆動されることを特徴とする、請求項１記載のパソコンの電源供給システム。
【請求項８】
送電（１０）を多種な異なる電圧レベルに変換することによりパソコン（４０）の動作する直流電源（２５、３３）を提供するパソコンの電源供給システムであって、
メイン・パワー・サプライ（２０）と、サブ・パワー・サプライ（３０）と、を含み、
前記メイン・パワー・サプライ（２０）は、パソコン（４０）の内部に配置され電力をパソコン（４０）の動作する電源に変換するように行なう主な電力システム（２３）と、
常態的に起動電源（２４）をパソコン（４０）へ提供するスタンドバイ電力システム（２２）と、
送電（１０）に接続する入力端（２１）と、
直流電源（２５）を出力する出力端と、を具備し、
前記サブ・パワー・サプライ（３０）は、パソコン（４０）の一側フェース・プレートのハウジング設置位置に配置され当該サブ・パワー・サプライ（３０）が送電（１０）に接続する入力端（３１）と、
直流電源（３３）を出力する出力端と、
電力をパソコン（４０）の動作する電源に変換するように行なう副次な電力システム（３２）と、を具備し、
当該副次な電力システム（３２）の起動電力がメイン・パワー・サプライ（２０）のスタンドバイ電力システム（２２）の起動電源（２４）により駆動されることによりパソコン（４０）のホストが起動された後にメイン及びサブ・パワー・サプライ（２０、３０）が同期的に電力の変換を起動することを特徴とする、
パソコンの電源供給システム。
【請求項９】
当該メイン・パワー・サプライ（２０）は、単一の電圧レベルを出力する直流電源（２５）で、且つ当該サブ・パワー・サプライ（３０）が複数組の異なる電圧レベルを出力する直流電源（３３）であることを特徴とする、請求項８記載のパソコンの電源供給システム。
【請求項１０】
当該メイン・パワー・サプライ（２０）は、単一の電圧レベルを出力する直流電源（２５）で、また複数個のサブ・パワー・サプライ（３０）を具備して構成し且つそれぞれ異なる電圧レベルを出力する直流電源（３３）であることを特徴とする、請求項８記載のパソコンの電源供給システム。
【請求項１１】
当該メイン・パワー・サプライ（２０）は、複数組の電圧レベルを出力する直流電源（２５）で、且つ当該サブ・パワー・サプライ（３０）が複数組の異なる電圧レベルを出力する直流電源（３３）であることを特徴とする、請求項８記載のパソコンの電源供給システム。
【請求項１２】
当該メイン・パワー・サプライ（２０）は、複数組の電圧レベルを出力する直流電源（２５）で、且つ当該サブ・パワー・サプライ（３０）が単一の電圧レベルを出力する直流電源（３３）であることを特徴とする、請求項８記載のパソコンの電源供給システム。
【請求項１３】
当該電源供給システムは、第２組のサブ・パワー・サプライ（５０）をさらに具備し、当該第２組のサブ・パワー・サプライ（５０）の起動電力が同様にメイン・パワー・サプライ（２０）のスタンドバイ電力システム（２２）の起動電源（２４）により駆動されることを特徴とする、請求項８記載のパソコンの電源供給システム。
【請求項１４】
当該電源供給システムは、第２組のサブ・パワー・サプライ（５０）をさらに具備し、当該第２組のサブ・パワー・サプライ（５０）の起動電力が第１組のサブ・パワー・サプライ（３０）の出力端から少なくとも一つの直流電源（３３）を出力することにより駆動されることを特徴とする、請求項８記載のパソコンの電源供給システム。
【考案の詳細な説明】
【技術分野】
【０００１】
本考案は、パソコンの電源供給システムに関し、特に付加式パワー・サプライを採用することによりパソコンの需要するパワーを向上するパソコンの電源供給システムに関するものである。
【背景技術】
【０００２】
マルチメディア及びインターネット技術の急速成長では、特にＣＰＵ、マザーボード及びグラフィック・インターフェース・カードの技術におけるパソコンの需要するパワーが既に大幅に向上する。特にオンライン・ゲームをよく行なうユーザーに対し、パソコンの需要する動作パワーを、６００Ｗ以上に大幅に向上すれば、その需要に符合できる。従って一旦ユーザーがパソコンの装置をグレード・アップすれば、通常は元のパワー・サプライも同期的にグレード・アップされる必要がある。即ち元のパワーの不足したパワー・サプライを取り替えて廃棄する。然しながらパワー・サプライの仕様から言えば、パソコンの目前の更新速度が甚だ速くても、パワー・サプライの提供できる電力仕様及びパソコンに配置される位置と体積が依然として通用でき、従ってパワーが不足した状況下では、パワー・サプライを取り替えて廃棄するが、実質的に非常に無駄で、且つリサイクル処理上ではパワー・サプライがまた相当に困難であるため、環境保護の問題をさらに引き起こす。
【０００３】
工業用コンピューターの領域中では、複数組のパワー・サプライを採用して供給電力を組合わせるのは、周知の技術で、採用する方式はスタンドバイ式のパワー・サプライを設計の重点とすることが多い。例を挙げると、例えば１＋１が合計で２台の５００Ｗパワー・サプライであれば、実際に工業用コンピューターの需要するパワーが５００Ｗであると、２台のパワー・サプライが電力マッチング方式によりそれぞれ２５０Ｗを負担する。その設計の重点が工業用コンピューターを一般的にサーバーとして使用するもので、常態的に起動状態に維持する必要があり、その中の１台のパワー・サプライが損害すれば、その他の１台のパワー・サプライが最大の負荷までに向上できる。そして依然として工業用コンピューターの動作を維持する。然しながらパソコンにとってユーザーが常態的に起動状態に維持するわけではなく、同時に複数台のパワー・サプライを購入すれば、設置するために余裕のスペースがなる。それ以外にパソコンは起動時間よりも終了時間が大きいため、既存のグリーン環境保護により終了の電力ダメージの訴えを低減する下では、既存の工業用コンピューターの設計モードがパソコンに直接的に適用できない。
【考案の開示】
【考案が解決しようとする課題】
【０００４】
本考案の主な目的は、前述の欠点を解決して欠点の存在を避けるもので、本考案は、ユーザーに対し、パソコンの需要するパワーが元のメイン・パワー・サプライの提供するパワーよりも大きい時に、メイン・パワー・サプライを取り替える必要がなく、そしてパソコンの既存の余裕のハウジング組立てのスペースを十分に運用することによりサブ・パワー・サプライを増設でき、且つこのサブ・パワー・サプライの起動電力がメイン・パワー・サプライから由来することにより、終了状態の下ではパソコンが依然としてメイン・パワー・サプライの消耗電力のみを具し、これによりグリーン環境保護の電力（ＧＲＥＥＮ  ＰＯＷＥＲ）を維持するように提供する。
【０００５】
本考案の目的を達成するために、本考案は、パソコンの一側フェース・プレートのハウジング設置位置に少なくとも一つのサブ・パワー・サプライが配置され、当該サブ・パワー・サプライが送電に接続する入力端と直流電源を出力する出力端とを具備し、且つ当該サブ・パワー・サプライが電力をパソコンの動作する電源に変換するように行なう副次な電力システムを具備し、当該副次な電力システムの起動電力がメイン・パワー・サプライの出力端から少なくとも一つの直流電源を出力することにより駆動され、これにより、サブ・パワー・サプライがメイン・パワー・サプライのパワーを補償することによりパソコンの使用に十分に提供する。
【課題を解決するための手段】
【０００６】
本考案の第１考案は、送電（１０）を多種な異なる電圧レベルに変換することによりパソコン（４０）の動作する直流電源（２５、３３）を提供するパソコンの電源供給システムであって、メイン・パワー・サプライ（２０）と、サブ・パワー・サプライ（３０）と、を含み、前記メイン・パワー・サプライ（２０）は、パソコン（４０）の内部に配置され、電力をパソコン（４０）の動作する電源に変換するように行なう主な電力システム（２３）と、常態的に起動電源（２４）をパソコン（４０）へ提供する、スタンドバイ電力システム（２２）と、送電（１０）に接続する入力端（２１）と、直流電源（２５）を出力する出力端と、を具備し、前記サブ・パワー・サプライ（３０）は、パソコン（４０）の一側フェース・プレートのハウジング設置位置に配置され、送電（１０）に接続する入力端（３１）と、直流電源（３３）を出力する出力端と、電力をパソコン（４０）の動作する電源に変換するように行なう副次な電力システム（３２）と、を具備し、  当該副次な電力システム（３２）の起動電力がメイン・パワー・サプライ（２０）の出力端から少なくとも一つの直流電源（２５）を出力することにより駆動されることを特徴とする、パソコンの電源供給システムを提供する。
【０００７】
また、本考案の第２考案は、当該メイン・パワー・サプライ（２０）が、単一の電圧レベルを出力する直流電源（２５）で、且つ当該サブ・パワー・サプライ（３０）が複数組の異なる電圧レベルを出力する直流電源（３３）であることを特徴とする、本考案の第１考案に記載のパソコンの電源供給システムを提供する。
【０００８】
また、本考案の第３考案は、当該メイン・パワー・サプライ（２０）は、単一の電圧レベルを出力する直流電源（２５）で、また複数個のサブ・パワー・サプライ（３０）を具備して構成し且つそれぞれ異なる電圧レベルを出力する直流電源（３３）であることを特徴とする、本考案の第１考案に記載のパソコンの電源供給システムを提供する。
【０００９】
また、本考案の第４考案は、当該メイン・パワー・サプライ（２０）は、複数組の電圧レベルを出力する直流電源（２５）で、且つ当該サブ・パワー・サプライ（３０）が複数組の異なる電圧レベルを出力する直流電源（３３）であることを特徴とする、本考案の第１考案に記載のパソコンの電源供給システムを提供する。
【００１０】
また、本考案の第５考案は、当該メイン・パワー・サプライ（２０）は、複数組の電圧レベルを出力する直流電源（２５）で、且つ当該サブ・パワー・サプライ（３０）が単一の電圧レベルを出力する直流電源（３３）であることを特徴とする、本考案の第１考案に記載のパソコンの電源供給システムを提供する。
【００１１】
また、本考案の第６考案は、当該電源供給システムは、第２組のサブ・パワー・サプライ（５０）をさらに具備し、当該第２組のサブ・パワー・サプライ（５０）の起動電力が同様にメイン・パワー・サプライ（２０）の出力端から少なくとも一つの直流電源（２５）を出力することにより駆動されることを特徴とする、本考案の第１考案に記載のパソコンの電源供給システムを提供する。
【００１２】
また、本考案の第７考案は、当該電源供給システムは、第２組のサブ・パワー・サプライ（５０）をさらに具備し、当該第２組のサブ・パワー・サプライ（５０）の起動電力が第１組のサブ・パワー・サプライ（３０）の出力端から少なくとも一つの直流電源（３３）を出力することにより駆動されることを特徴とする、本考案の第１考案に記載のパソコンの電源供給システムを提供する。
【００１３】
また、本考案の第８考案は、送電（１０）を多種な異なる電圧レベルに変換することによりパソコン（４０）の動作する直流電源（２５、３３）を提供するパソコンの電源供給システムであって、メイン・パワー・サプライ（２０）と、サブ・パワー・サプライ（３０）と、を含み、前記メイン・パワー・サプライ（２０）は、パソコン（４０）の内部に配置され電力をパソコン（４０）の動作する電源に変換するように行なう主な電力システム（２３）と、常態的に起動電源（２４）をパソコン（４０）へ提供するスタンドバイ電力システム（２２）と、送電（１０）に接続する入力端（２１）と、直流電源（２５）を出力する出力端と、を具備し、前記サブ・パワー・サプライ（３０）は、パソコン（４０）の一側フェース・プレートのハウジング設置位置に配置され当該サブ・パワー・サプライ（３０）が送電（１０）に接続する入力端（３１）と、直流電源（３３）を出力する出力端と、電力をパソコン（４０）の動作する電源に変換するように行なう副次な電力システム（３２）と、を具備し、当該副次な電力システム（３２）の起動電力がメイン・パワー・サプライ（２０）のスタンドバイ電力システム（２２）の起動電源（２４）により駆動されることによりパソコン（４０）のホストが起動された後にメイン及びサブ・パワー・サプライ（２０、３０）が同期的に電力の変換を起動することを特徴とする、パソコンの電源供給システムを提供する。
【００１４】
また、本考案の第９考案は、当該メイン・パワー・サプライ（２０）は、単一の電圧レベルを出力する直流電源（２５）で、且つ当該サブ・パワー・サプライ（３０）が複数組の異なる電圧レベルを出力する直流電源（３３）であることを特徴とする、本考案の第８考案に記載のパソコンの電源供給システムを提供する。
【００１５】
また、本考案の第１０考案は、当該メイン・パワー・サプライ（２０）は、単一の電圧レベルを出力する直流電源（２５）で、また複数個のサブ・パワー・サプライ（３０）を具備して構成し且つそれぞれ異なる電圧レベルを出力する直流電源（３３）であることを特徴とする、本考案の第８考案に記載のパソコンの電源供給システムを提供する。
【００１６】
また、本考案の第１１考案は、当該メイン・パワー・サプライ（２０）は、複数組の電圧レベルを出力する直流電源（２５）で、且つ当該サブ・パワー・サプライ（３０）が複数組の異なる電圧レベルを出力する直流電源（３３）であることを特徴とする、本考案の第８考案に記載のパソコンの電源供給システムを提供する。
【００１７】
また、本考案の第１２考案は、当該メイン・パワー・サプライ（２０）は、複数組の電圧レベルを出力する直流電源（２５）で、且つ当該サブ・パワー・サプライ（３０）が単一の電圧レベルを出力する直流電源（３３）であることを特徴とする、本考案の第８考案に記載のパソコンの電源供給システムを提供する。
【００１８】
また、本考案の第１３考案は、当該電源供給システムは、第２組のサブ・パワー・サプライ（５０）をさらに具備し、当該第２組のサブ・パワー・サプライ（５０）の起動電力が同様にメイン・パワー・サプライ（２０）のスタンドバイ電力システム（２２）の起動電源（２４）により駆動されることを特徴とする、本考案の第８考案に記載のパソコンの電源供給システムを提供する。
【００１９】
また、本考案の第１４考案は、当該電源供給システムは、第２組のサブ・パワー・サプライ（５０）をさらに具備し、当該第２組のサブ・パワー・サプライ（５０）の起動電力が第１組のサブ・パワー・サプライ（３０）の出力端から少なくとも一つの直流電源（３３）を出力することにより駆動されることを特徴とする、本考案の第８考案に記載のパソコンの電源供給システムを提供する。
【考案の効果】
【００２０】
本考案によれば、次に記載する効果を得ることができる。
（１）ユーザーに対し、パソコンの需要するパワーが元のメイン・パワー・サプライの提供するパワーよりも大きい時に、メイン・パワー・サプライを取り替える必要がない。
（２）パソコンの既存の余裕のハウジング組立てのスペースを十分に運用することによりサブ・パワー・サプライを増設できる。
（３）このサブ・パワー・サプライの起動電力がメイン・パワー・サプライから由来することにより、終了状態の下ではパソコンが依然としてメイン・パワー・サプライの消耗電力のみを具し、これによりグリーン環境保護の電力（ＧＲＥＥＮ  ＰＯＷＥＲ）を維持することができる。
【考案を実施するための最良の形態】
【００２１】
以下に図面を参照しながら本考案の実施の形態について説明する。
【実施例】
【００２２】
図１を参照して説明する。同図は本考案の第１の実施例に係る回路のブロック模式図である。
【００２３】
図１を参照は、本考案の第１の実施例の回路のブロック模式図である。図面に示すように、本考案は、パソコン４０の電源供給システムで、送電１０を多種な異なる電圧レベルに変換することによりパソコン４０の動作する直流電源２５、３３を提供する。
【００２４】
本考案は主として、メイン・パワー・サプライ（２０）と、サブ・パワー・サプライ（３０）と、を含む。
【００２５】
メイン・パワー・サプライ２０は、パソコン４０の内部に配置され、電力をパソコン４０の動作する電源に変換するように行なう主な電力システム２３と、常態的に起動電源２４をパソコン４０へ提供するスタンドバイ電力システム２２と、当該メイン・パワー・サプライ２０が送電１０に接続する入力端２１と、直流電源２５を出力する出力端と、を具備する。
【００２６】
サブ・パワー・サプライ３０は、パソコン４０の一側フェース・プレートのハウジング設置位置に配置され、送電１０に接続する入力端３１と直流電源３３を出力する出力端と、当該サブ・パワー・サプライ３０が電力をパソコン４０の動作する電源に変換するように行なう副次な電力システム３２と、を具備する。
【００２７】
本考案のパソコンの電源供給システムは、当該副次な電力システム３２の起動電力がメイン・パワー・サプライ２０の出力端から少なくとも一つの直流電源２５を出力することにより駆動されることにより直流電源２５を出力し再起動することを特徴とする。
【００２８】
例えば図２に示すように、当該副次な電力システム３２の起動電力がメイン・パワー・サプライ２０のスタンドバイ電力システム２２の起動電源２４により駆動されることにより、パソコン４０のホストが起動された後にメイン及びサブ・パワー・サプライ２０、３０が同期的に電力の変換を起動する。
【００２９】
既存のパソコン４０の需要する直流電源２５、３３の電圧レベルから言えば、一般的に５Ｖ、３.３Ｖ、１２Ｖ、ＳＴＢ５Ｖなどの電圧レベルに区画でき、そして既存のメイン・パワー・サプライ２０により仕様を設計するのが、何れも同時に複数組の異なる電圧レベルを出力する直流電源２５及び起動電源２４である。
【００３０】
当該サブ・パワー・サプライ３０が複数組の異なる電圧レベルを出力できる直流電源３３又は単一の電圧レベルを出力でき直流電源３３を有し、ユーザーが既存のメイン・パワー・サプライ２０の補償パワーを採用してサブ・パワー・サプライ３０を増加すれば、パソコン４０の増設周辺装置又はグレード・アップ需要を根拠とし複数組の電圧レベル又は単一の電圧レベルのサブ・パワー・サプライ３０の需要は大きい。
【００３１】
サブ・パワー・サプライ３０が既存のパソコン４０のフロント・フェース・プレート予め設けハウジングのスロットに組立てられて５.２５インチ又は３.５インチの仕様にあわせてあるとともに、サブ・パワー・サプライ３０の起動電力がメイン・パワー・サプライ２０の出力する直流電源２５又は起動電源２４からサブ・パワー・サプライ３０に接続するように駆動される。
【００３２】
また、パソコン４０が起動された時に、メイン・パワー・サプライ２０及びサブ・パワー・サプライ３０が何れも個別に送電１０に接続する入力端２１、３１を具備することにより、メイン・パワー・サプライ２０及びサブ・パワー・サプライ３０がそれぞれ電力を直流電源２５、３３に変換するように行い、且つパソコン４０へ供給する。
【００３３】
電源供給業者は、本考案から新たなパワー・サプライ仕様をさらに設計できる。
即ち当該メイン・パワー・サプライ２０は、単一の電圧レベルを出力する直流電源２５で、そして当該サブ・パワー・サプライ３０が複数組の異なる電圧レベルを出力できる直流電源３３）で、或いは単一の電圧レベルを出力できる直流電源３３である。
これによりさらに異なる電力の需要する周辺設備に対応でき、そして常にユーザーが同じ電力のコネクター・ヘッド仕様により間違う差込を引き起こす保護設計を避ける。
【００３４】
図３を参照して示すように、当該電源供給システムは、第２組のサブ・パワー・サプライ５０をさらに具備してもよい。
【００３５】
当該第２組のサブ・パワー・サプライ５０が同様に送電１０に接続する入力端５１、電力の変換を行なう副次な電力システム５２及び変換した後に出力された直流電源５３を具備する。
【００３６】
そして当該第２組のサブ・パワー・サプライ５０の組立て方式及び動作モードが前記の叙述と同じ、且つ当該第２組のサブ・パワー・サプライ５０の起動電力はメイン・パワー・サプライ２０の出力端から少なくとも一つの直流電源２５を出力することにより駆動でき、或いはメイン・パワー・サプライ２０のスタンドバイ電力システム２２の起動電源２４により駆動でき、それ以外に当該第２組のサブ・パワー・サプライ５０の起動電力がさらに第１組のサブ・パワー・サプライ３０の出力端から少なくとも一つの直流電源３３を出力することにより駆動できる。
【００３７】
どんな組立て方式のいずれかに関わらず、本考案のパソコン４０が終了状態にある時に、何れもメイン・パワー・サプライ２０のスタンドバイ電力システム２２のみが電力を消耗し、サブ・パワー・サプライ３０、５０が電力変換の副次な電力システム３２、５２のみを具するため、電力の消耗を生成できず、これにより、パワー・サプライの拡充パワー・モードが既存のハード・ディスクの拡充格納容量モードと同じ、ユーザーはパソコン４０がグレード・アップされた時に既存のメイン・パワー・サプライ２０を廃棄する必要がなく、グレード・アップのコストを節約する以外に、環境保護の効果をさらに達成する。
【００３８】
前記の叙述を総合し、ただ本考案のより好ましい実施例のみで、本考案の実施範囲を限定するように用いられるわけではない。即ち本考案の実用新案登録請求の範囲の内容に基づいて出来た等価な変更及び補正の全てが何れも本考案の技術範疇である。
【図面の簡単な説明】
【００３９】
【図１】本考案の第１の実施例の回路のブロック模式図である。
【図２】本考案の第２の実施例の回路のブロック模式図である。
【図３】本考案の第３の実施例の回路のブロック模式図である。
【符号の説明】
【００４０】
１０  送電  
２０  メイン・パワー・サプライ
２１  入力端  
２２  スタンドバイ電力システム
２３  主な電力システム
２４  起動電源
２５  直流電源
３０、５０  サブ・パワー・サプライ
３１、５１  入力端
３２、５２  副次な電力システム
３３、５３  直流電源
４０  パソコン
【図１】
0003122194.tif 000003
【図２】
0003122194.tif 000004
【図３】
0003122194.tif 000005
【手続補正書】
【提出日】平成18年3月15日(2006.3.15)
【手続補正１】
【補正対象書類名】実用新案登録請求の範囲
【補正対象項目名】請求項８
【補正方法】変更
【補正の内容】
【請求項８】
送電（１０）を多種な異なる電圧レベルに変換することによりパソコン（４０）の動作する直流電源（２５、３３）を提供するパソコンの電源供給システムであって、
メイン・パワー・サプライ（２０）と、サブ・パワー・サプライ（３０）と、を含み、
前記メイン・パワー・サプライ（２０）は、パソコン（４０）の内部に配置され電力をパソコン（４０）の動作する電源に変換するように行なう主な電力システム（２３）と、
常態的に起動電源（２４）をパソコン（４０）へ提供するスタンドバイ電力システム（２２）と、
送電（１０）に接続する入力端（２１）と、
直流電源（２５）を出力する出力端と、を具備し、
前記サブ・パワー・サプライ（３０）は、パソコン（４０）の一側フェース・プレートのハウジング設置位置に配置され当該サブ・パワー・サプライ（３０）が送電（１０）に接続する入力端（３１）と、
直流電源（３３）を出力する出力端と、
電力をパソコン（４０）の動作する電源に変換するように行なう副次な電力システム（３２）と、を具備し、
当該副次な電力システム（３２）の起動電力がメイン・パワー・サプライ（２０）のスタンドバイ電力システム（２２）の起動電源（２４）により駆動されることによりパソコン（４０）のホストが起動された後にメイン及びサブ・パワー・サプライ（２０、３０）が同期的に電力の変換を起動することを特徴とする、
請求項１に記載のパソコンの電源供給システム。
【手続補正２】
【補正対象書類名】明細書
【補正対象項目名】００１３
【補正方法】変更
【補正の内容】
【００１３】
また、本考案の第８考案は、送電（１０）を多種な異なる電圧レベルに変換することによりパソコン（４０）の動作する直流電源（２５、３３）を提供するパソコンの電源供給システムであって、メイン・パワー・サプライ（２０）と、サブ・パワー・サプライ（３０）と、を含み、前記メイン・パワー・サプライ（２０）は、パソコン（４０）の内部に配置され電力をパソコン（４０）の動作する電源に変換するように行なう主な電力システム（２３）と、常態的に起動電源（２４）をパソコン（４０）へ提供するスタンドバイ電力システム（２２）と、送電（１０）に接続する入力端（２１）と、直流電源（２５）を出力する出力端と、を具備し、前記サブ・パワー・サプライ（３０）は、パソコン（４０）の一側フェース・プレートのハウジング設置位置に配置され当該サブ・パワー・サプライ（３０）が送電（１０）に接続する入力端（３１）と、直流電源（３３）を出力する出力端と、電力をパソコン（４０）の動作する電源に変換するように行なう副次な電力システム（３２）と、を具備し、当該副次な電力システム（３２）の起動電力がメイン・パワー・サプライ（２０）のスタンドバイ電力システム（２２）の起動電源（２４）により駆動されることによりパソコン（４０）のホストが起動された後にメイン及びサブ・パワー・サプライ（２０、３０）が同期的に電力の変換を起動することを特徴とする、本考案の第１考案に記載のパソコンの電源供給システムを提供する。